(57)【要約】【課題】媒体を案内する案内手段をバネを使用して予め定められた位置に保持する場合に比べて、媒体の案内不良を抑制すること。【解決手段】駆動源（１１）の作動に応じて媒体の案内手段（ＧＴ１）を移動させる第１の移動手段（１４）と、媒体の案内手段（ＧＴ１）と共に移動可能な移動制限手段（６）と、移動制限手段（６）に近接して媒体の案内手段（ＧＴ１）が第２の案内位置から第１の案内位置に移動することを制限する第１の位置と、移動制限手段（６）から離間して媒体の案内手段（ＧＴ１）の第１の案内位置への移動が可能な第２の位置と、の間で移動可能な第２の移動手段（１３）であって、駆動源（１１）の作動に応じて、媒体の案内手段（ＧＴ１）が第１の案内位置に向けて移動する場合に、第１の位置から第２の位置に移動する第２の移動手段（１３）と、を備えた媒体搬送装置。【選択図】図４
2020050500.tif 000002
【特許請求の範囲】
【請求項１】
媒体が積載される積載手段に向けて媒体を案内する第１の案内位置と、前記積載手段から装置内部に媒体を案内する第２の案内位置と、の間で移動可能な媒体の案内手段と、
前記媒体の案内手段を移動させる駆動源と、
前記駆動源の作動に応じて前記媒体の案内手段を移動させる第１の移動手段と、
前記媒体の案内手段と共に移動可能な移動制限手段と、
前記移動制限手段に近接して前記媒体の案内手段が前記第２の案内位置から前記第１の案内位置に移動することを制限する第１の位置と、前記移動制限手段から離間して前記媒体の案内手段の前記第１の案内位置への移動が可能な第２の位置と、の間で移動可能な第２の移動手段であって、前記駆動源の作動に応じて、前記媒体の案内手段が前記第１の案内位置に向けて移動する場合に、前記第１の位置から前記第２の位置に移動する前記第２の移動手段と、
を備えたことを特徴とする媒体搬送装置。
【請求項２】
前記第２の移動手段が前記第２の位置に移動した後に、前記媒体の案内手段を前記第１の案内位置に向けて移動させる前記第１の移動手段、
を備えたことを特徴とする請求項１に記載の媒体搬送装置。
【請求項３】
前記媒体の案内手段に対して接近、離間可能に配置された前記第１の移動手段であって、前記第２の案内位置において前記媒体の案内手段から離間して配置され、前記第２の移動手段が前記第２の位置に向けて移動すると前記媒体の案内手段に接近して、前記第２の移動手段が前記第２の位置に移動完了した後に前記媒体の案内手段に接触する前記第１の移動手段、
を備えたことを特徴とする請求項２に記載の媒体搬送装置。
【請求項４】
前記媒体の案内手段に接触して、前記媒体の案内手段を第２の案内位置に位置決めする位置決め手段を有し、媒体の搬送路を開閉可能な開閉手段と、
前記第１の移動手段は、前記開閉手段が開放される際に移動する前記媒体の案内手段と接触しない形状である
ことを特徴とする請求項３に記載の媒体搬送装置。
【請求項５】
前記第１の移動手段との接触部分に形成された曲面形状を有する前記媒体の案内手段、
を備えたことを特徴とする請求項３または４に記載の媒体搬送装置。
【請求項６】
前記第２の移動手段を介して前記駆動源に連結された前記第１の移動手段、
を備えたことを特徴とする請求項１ないし５のいずれかに記載の媒体搬送装置。
【請求項７】
前記第２の移動手段に対して、長孔を介して連結された前記第１の移動手段、
を備えたことを特徴とする請求項６に記載の媒体搬送装置。
【請求項８】
前記媒体の案内手段を前記第２の案内位置に向けて押す力を作用させる第１の付勢手段、
を備えたことを特徴とする請求項１ないし７のいずれかに記載の媒体搬送装置。
【請求項９】
前記第１の移動手段を前記媒体の案内手段から離間した位置に向けて押す力を作用させる第２の付勢手段、
を備えたことを特徴とする請求項１ないし８のいずれかに記載の媒体搬送装置。
【請求項１０】
前記第１の位置から前記第２の位置に前記第２の移動手段が移動するにつれて前記移動制限手段から離間する方向に傾斜する傾斜面を有する前記第２の移動手段、
を備えたことを特徴とする請求項１ないし９のいずれかに記載の媒体搬送装置。
【請求項１１】
媒体に画像を形成する画像の形成手段と、
前記画像の形成手段で画像が形成された媒体を搬送する請求項１ないし１０のいずれかに記載の媒体搬送装置と、
を備えたことを特徴とする画像形成装置。
【発明の詳細な説明】
【技術分野】
【０００１】
本発明は、媒体搬送装置および画像形成装置に関する。
【背景技術】
【０００２】
複写機、プリンタ、ＦＡＸ等の画像形成装置において、媒体の搬送方向を切り替えるための切替手段を有する技術に関し、以下の特許文献１に記載の技術が知られている。
【０００３】
特許文献１としての特許第５４７９９８４号明細書には、用紙の搬送方向を切り換える分岐部材（２２０）を、ソレノイド機構（３０）を使用して切り替える構成が記載されている。特許文献１では、用紙搬送経路内に、緩衝パッド（２４１）や樹脂シート（２５１）を設置して、用紙の高速搬送時の衝撃音を減少させる技術が記載されている。
【先行技術文献】
【特許文献】
【０００４】
【特許文献１】特許第５４７９９８４号明細書（「００３３」−「００３５」、図４、図５）
【発明の概要】
【発明が解決しようとする課題】
【０００５】
本発明は、媒体を案内する案内手段をバネを使用して予め定められた位置に保持する場合に比べて、媒体の案内不良を抑制することを技術的課題とする。
【課題を解決するための手段】
【０００６】
前記技術的課題を解決するために、請求項１に記載の発明の媒体搬送装置は、
媒体が積載される積載手段に向けて媒体を案内する第１の案内位置と、前記積載手段から装置内部に媒体を案内する第２の案内位置と、の間で移動可能な媒体の案内手段と、
前記媒体の案内手段を移動させる駆動源と、
前記駆動源の作動に応じて前記媒体の案内手段を移動させる第１の移動手段と、
前記媒体の案内手段と共に移動可能な移動制限手段と、
前記移動制限手段に近接して前記媒体の案内手段が前記第２の案内位置から前記第１の案内位置に移動することを制限する第１の位置と、前記移動制限手段から離間して前記媒体の案内手段の前記第１の案内位置への移動が可能な第２の位置と、の間で移動可能な第２の移動手段であって、前記駆動源の作動に応じて、前記媒体の案内手段が前記第１の案内位置に向けて移動する場合に、前記第１の位置から前記第２の位置に移動する前記第２の移動手段と、
を備えたことを特徴とする。
【０００７】
請求項２に記載の発明は、請求項１に記載の媒体搬送装置において、
前記第２の移動手段が前記第２の位置に移動した後に、前記媒体の案内手段を前記第１の案内位置に向けて移動させる前記第１の移動手段、
を備えたことを特徴とする。
【０００８】
請求項３に記載の発明は、請求項２に記載の媒体搬送装置において、
前記媒体の案内手段に対して接近、離間可能に配置された前記第１の移動手段であって、前記第２の案内位置において前記媒体の案内手段から離間して配置され、前記第２の移動手段が前記第２の位置に向けて移動すると前記媒体の案内手段に接近して、前記第２の移動手段が前記第２の位置に移動完了した後に前記媒体の案内手段に接触する前記第１の移動手段、
を備えたことを特徴とする。
【０００９】
請求項４に記載の発明は、請求項３に記載の媒体搬送装置において、
前記媒体の案内手段に接触して、前記媒体の案内手段を第２の案内位置に位置決めする位置決め手段を有し、媒体の搬送路を開閉可能な開閉手段と、
前記第１の移動手段は、前記開閉手段が開放される際に移動する前記媒体の案内手段と接触しない形状である
ことを特徴とする。
【００１０】
請求項５に記載の発明は、請求項３または４に記載の媒体搬送装置において、
前記第１の移動手段との接触部分に形成された曲面形状を有する前記媒体の案内手段、
を備えたことを特徴とする。
【００１１】
請求項６に記載の発明は、請求項１ないし５のいずれかに記載の媒体搬送装置において、
前記第２の移動手段を介して前記駆動源に連結された前記第１の移動手段、
を備えたことを特徴とする。
【００１２】
請求項７に記載の発明は、請求項６に記載の媒体搬送装置において、
前記第２の移動手段に対して、長孔を介して連結された前記第１の移動手段、
を備えたことを特徴とする。
【００１３】
請求項８に記載の発明は、請求項１ないし７のいずれかに記載の媒体搬送装置において、
前記媒体の案内手段を前記第２の案内位置に向けて押す力を作用させる第１の付勢手段、
を備えたことを特徴とする。
【００１４】
請求項９に記載の発明は、請求項１ないし８のいずれかに記載の媒体搬送装置において、
前記第１の移動手段を前記媒体の案内手段から離間した位置に向けて押す力を作用させる第２の付勢手段、
を備えたことを特徴とする。
【００１５】
請求項１０に記載の発明は、請求項１ないし９のいずれかに記載の媒体搬送装置において、
前記第１の位置から前記第２の位置に前記第２の移動手段が移動するにつれて前記移動制限手段から離間する方向に傾斜する傾斜面を有する前記第２の移動手段、
を備えたことを特徴とする。
【００１６】
前記技術的課題を解決するために、請求項１１に記載の発明の画像形成装置は、
媒体に画像を形成する画像の形成手段と、
前記画像の形成手段で画像が形成された媒体を搬送する請求項１ないし１０のいずれかに記載の媒体搬送装置と、
を備えたことを特徴とする。
【発明の効果】
【００１７】
請求項１，１１に記載の発明によれば、媒体を案内する案内手段をバネを使用して予め定められた位置に保持する場合に比べて、媒体の案内不良を抑制することができる。
請求項２に記載の発明によれば、媒体の案内手段の移動が制限されない状態で、媒体の案内手段を第１の案内位置に向けて移動させることができる。
請求項３に記載の発明によれば、第１の移動手段に媒体の案内手段が接触している場合に比べて、媒体の案内手段を第１の案内位置に向けて移動するまえに、媒体の案内手段の移動の制限を解除することができる。
【００１８】
請求項４に記載の発明によれば、開閉手段が開放される際に、第１の移動手段が媒体の案内手段と接触する構成に比べて、媒体の案内手段を大きく移動させることができる。
請求項５に記載の発明によれば、接触部分が平面形状の場合に比べて、媒体の案内手段の移動の抵抗を低減できる。
請求項６に記載の発明によれば、第１の移動手段が第２の移動手段を介して駆動源に連結されていない場合と比べて、第２の移動手段が移動した後に第１の移動手段が移動しやすい。
請求項７に記載の発明によれば、第１の移動手段が第２の移動手段と長孔で連結されていない場合に比べて、第２の移動手段で移動の制限が解除されてから、媒体の案内手段を移動させる時間を確保できる。
【００１９】
請求項８に記載の発明によれば、駆動源を使用せずに、第２の案内位置に媒体の案内手段を保持することができる。
請求項９に記載の発明によれば、駆動源を使用せずに、媒体の案内手段を第１の位置に保持することができる。
請求項１０に記載の発明によれば、傾斜面を有しない場合に比べて、媒体の案内手段を第２の位置に円滑に移動させることができる。
【図面の簡単な説明】
【００２０】
【図１】図１は実施例１の画像形成装置の全体説明図である。
【図２】図２は実施例１の画像の記録部の要部説明図である。
【図３】図３は実施例１のゲートの駆動機構の説明図であり、第２の移動手段が第１の位置に移動した状態の説明図である。
【図４】図４は図３の状態における駆動機構の斜視図である。
【図５】図５は実施例１のゲートの駆動機構の説明図であり、第２の移動手段が第１の位置から第２の位置に移動する途中の状態の説明図である。
【図６】図６は図５の状態における駆動機構の斜視図である。
【図７】図７は実施例１のゲートの駆動機構の説明図であり、第２の移動手段が第２の位置に移動した状態の説明図である。
【図８】図８は実施例１のゲートの説明図であり、図８Ａは第１のゲート位置にゲートが移動した状態の説明図、図８Ｂは第２のゲート位置にゲートが移動した状態の説明図である。
【図９】図９は実施例１のゲートの位置決め機構の説明図であり、図９Ａは第１のゲート位置における位置決め手段の説明図、図９Ｂは図９Ａの状態でのゲートと定着装置の下流部の位置関係の説明図である。
【図１０】図１０は実施例１のゲートの位置決め機構の説明図であり、図１０Ａはカバーが開放された状態における位置決め手段の説明図、図１０Ｂは図１０Ａの状態でのゲートと定着装置の下流部の位置関係の説明図である。
【図１１】図１１は実施例２のゲートの駆動機構の説明図であり、第２の移動手段が第１の位置に移動した状態の説明図である。
【図１２】図１２は実施例２のゲートの駆動機構の説明図であり、第２の移動手段が第１の位置から第２の位置に移動する途中の状態の説明図である。
【図１３】図１３は実施例２のゲートの駆動機構の説明図であり、第２の移動手段が第２の位置に移動した状態の説明図である。
【発明を実施するための形態】
【００２１】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００２２】
図１は実施例１の画像形成装置の全体説明図である。
図１において、本発明の実施例１の画像形成装置の一例としての複写機Ｕは、記録部の一例であって、画像記録装置の一例としてのプリンタ部Ｕ１を有する。プリンタ部Ｕ１の上部には、読取部の一例であって、画像読取装置の一例としてのスキャナ部Ｕ２が支持されている。スキャナ部Ｕ２の上部には、原稿の搬送装置の一例としてのオートフィーダＵ３が支持されている。
【００２３】
オートフィーダＵ３の上部には、媒体の収容手段の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧ２との間には、原稿の搬送路Ｕ３ａに沿って、原稿の搬送ロールＵ３ｂが配置されている。
【００２４】
スキャナ部Ｕ２の上面には、透明な原稿台の一例としてのプラテンガラスＰＧが配置されている。実施例１のスキャナ部Ｕ２には、プラテンガラスＰＧの下方に、読取部の一例としての読取ユニットＵ２ａが配置されている。実施例１の読取ユニットＵ２ａは、プラテンガラスＰＧの下面に沿って、副走査方向の一例としての左右方向に移動可能に支持されている。読取ユニットＵ２ａは、通常時は、図１の実線で示す初期位置に停止している。なお、読取ユニットＵ２ａは、画像処理部ＧＳに電気的に接続されている。
【００２５】
図２は実施例１の画像の記録部の要部説明図である。
画像処理部ＧＳは、プリンタ部Ｕ１の書込回路ＤＬに電気的に接続されている。書込回路ＤＬは、潜像の形成手段の一例としての露光装置Ｌｈｙ，ＬＨｍ，ＬＨｃ，ＬＨｋに電気的に接続されている。
実施例１の露光装置Ｌｈｙ〜ＬＨｋは、一例として、複数のＬＥＤが主走査方向に並んだＬＥＤヘッドにより構成されている。露光装置ＬＨｙ〜ＬＨｋは、書込回路ＤＬから入力された信号に応じて、Ｙ，Ｍ，Ｃ，Ｋの各色に対応した書込光を出力可能に構成されている。
前記書込回路ＤＬや電源回路Ｅは、制御手段の一例としてのコントローラＣからの制御信号に応じて、書込時期や電源の供給時期が制御される。
図１において、露光装置ＬＨｙ〜ＬＨｋの上方には、像保持手段の一例としての感光体ＰＲｙ，ＰＲｍ，ＰＲｃ，ＰＲｋが配置されている。図１、図２において、各感光体ＰＲｙ〜ＰＲｋに書込光が照射される領域により、書込領域Ｑ１ｙ，Ｑ１ｍ，Ｑ１ｃ，Ｑ１ｋが構成されている。
【００２６】
各感光体ＰＲｙ，ＰＲｍ，ＰＲｃ，ＰＲｋの回転方向に対して、書込領域Ｑ１ｙ〜Ｑ１ｋの上流側には、帯電手段の一例としての帯電ロールＣＲｙ，ＣＲｍ，ＣＲｃ，ＣＲｋが配置されている。実施例１の帯電ロールＣＲｙ〜ＣＲｋは、感光体ＰＲｙ〜ＰＲｋに接触して従動回転可能に支持されている。
感光体ＰＲｙ〜ＰＲｋの回転方向に対して、書込領域Ｑ１ｙ〜Ｑ１ｋの下流側には、現像手段の一例としての現像装置Ｇｙ，Ｇｍ，Ｇｃ，Ｇｋが配置されている。各感光体ＰＲｙ〜ＰＲｋと各現像装置Ｇｙ〜Ｇｋとが対向する領域により、現像領域Ｑ２ｙ，Ｑ２ｍ，Ｑ２ｃ，Ｑ２ｋが構成されている。
【００２７】
感光体ＰＲｙ〜ＰＲｋの回転方向に対して、現像装置Ｇｙ〜Ｇｋの下流側には、１次転写手段の一例としての１次転写ロールＴ１ｙ，Ｔ１ｍ，Ｔ１ｃ，Ｔ１ｋが配置されている。各感光体ＰＲｙ〜ＰＲｋと各１次転写ロールＴ１ｙ〜Ｔ１ｋとが対向する領域により、１次転写領域Ｑ３ｙ，Ｑ３ｍ，Ｑ３ｃ，Ｑ３ｋが構成されている。
感光体ＰＲｙ〜ＰＲｋの回転方向に対して、１次転写ロールＴ１ｙ〜Ｔ１ｋの下流側には、清掃手段の一例としての感光体クリーナＣＬｙ，ＣＬｍ，ＣＬｃ，ＣＬｋが配置されている。
【００２８】
前記Ｙ色の感光体ＰＲｙ、帯電ロールＣＲｙ、露光装置ＬＨｙ、現像装置Ｇｙ、１次転写ロールＴ１ｙ、感光体クリーナＣＬｙにより、Ｙ色のトナー像を形成する実施例１のＹ色の可視像の形成手段の一例としてのＹ色の作像部Ｕｙが構成されている。同様に、各感光体ＰＲｍ，ＰＲｃ，ＰＲｋ、帯電ロールＣＲｍ，ＣＲｃ，ＣＲｋ、露光装置ＬＨｍ，ＬＨｃ，ＬＨｋ、現像装置Ｇｍ，Ｇｃ，Ｇｋ、１次転写ロールＴ１ｍ，Ｔ１ｃ，Ｔ１ｋ、感光体クリーナＣＬｍ，ＣＬｃ，ＣＬｋにより、前記Ｍ，Ｃ，Ｋ色の作像部Ｕｍ，Ｕｃ，Ｕｋが構成されている。
【００２９】
前記感光体ＰＲｙ〜ＰＲｋの上方には、中間転写装置の一例としてのベルトモジュールＢＭが配置されている。ベルトモジュールＢＭは、像保持手段の一例であって、中間転写手段の一例としての中間転写ベルトＢを有する。中間転写ベルトＢは、無端帯状の部材により構成されている。
実施例１の中間転写ベルトＢは、張架手段の一例としてのテンションロールＲｔと、片寄りの補正手段の一例としてのウォーキングロールＲｗと、従動手段の一例としてのアイドラロールＲｆと、２次転写領域の対向手段の一例としてのバックアップロールＴ２ａと、１次転写ロールＴ１ｙ，Ｔ１ｍ，Ｔ１ｃ，Ｔ１ｋと、駆動部材の一例としての駆動ロールＲｄにより回転可能に支持されている。実施例１では、駆動ロールＲｄに駆動が伝達された場合に、中間転写ベルトＢが回転する。
【００３０】
前記中間転写ベルトＢを挟んでバックアップロールＴ２ａに対向する位置には、２次転写手段の一例としての２次転写ロールＴ２ｂが配置されている。バックアップロールＴ２ａおよび２次転写ロールＴ２ｂ等により、転写装置の一例としての実施例１の２次転写器Ｔ２が構成されている。また、２次転写ロールＴ２ｂと中間転写ベルトＢとが接触する領域により２次転写領域Ｑ４が構成されている。
中間転写ベルトＢの回転方向に対して、２次転写領域Ｑ４の下流側には、中間転写体の清掃装置の一例として、ベルトクリーナＣＬｂが配置されている。
前記１次転写ロールＴ１ｙ〜Ｔ１ｋ、中間転写ベルトＢおよび２次転写器Ｔ２等により、転写手段の一例としての実施例１の転写装置Ｔ１＋Ｔ２＋Ｂが構成されている。また、作像部Ｕｙ〜Ｕｋおよび転写装置Ｔ１＋Ｔ２＋Ｂとにより、実施例１の画像の記録部Ｕｙ〜Ｕｋ＋Ｔ１＋Ｔ２＋Ｂが構成されている。
【００３１】
図１において、作像部Ｕｙ〜Ｕｋの下方には、案内手段の一例としての左右一対のガイドレールＧＲが４段設けられている。各ガイドレールＧＲには、媒体の収容手段の一例としての給紙トレイＴＲ１〜ＴＲ４が前後方向に出入可能に支持されている。給紙トレイＴＲ１〜ＴＲ４には、媒体の一例としての記録シートＳが収容される。
給紙トレイＴＲ１〜ＴＲ４の左上方には、取出手段の一例としてのピックアップロールＲｐが配置されている。記録シートＳの搬送方向に対して、ピックアップロールＲｐの下流側には、捌き手段の一例としての捌きロールＲｓが配置されている。記録シートＳの搬送方向に対して、捌きロールＲｓの下流側には、媒体の搬送路の一例として、上方に延びる給紙路ＳＨ１が形成されている。給紙路ＳＨ１には、搬送手段の一例としての複数の搬送ロールＲａが配置されている。
【００３２】
複写機Ｕの左下部には、媒体の収容手段の一例としての手差しトレイＴＲ０が配置されている。手差しトレイＴＲ０の右上部には、ピックアップロールＲｐ０が配置され、手差し給紙路ＳＨ０が延びている。手差し給紙路ＳＨ０は給紙路ＳＨ１に合流している。
給紙路ＳＨ１には、２次転写領域Ｑ４の上流側に、搬送時期の調節手段の一例としてのレジロールＲｒが配置されている。レジロールＲｒから２次転写領域Ｑ４に向けて搬送路ＳＨ２が延びている。
【００３３】
記録シートＳの搬送方向に対して、２次転写領域Ｑ４の下流側には、定着手段の一例としての定着装置Ｆが配置されている。定着装置Ｆは、加熱用の定着部材の一例としての加熱ロールＦｈと、加圧用の定着部材の一例としての加圧ロールＦｐと、を有する。加熱ロールＦｈと加圧ロールＦｐとの接触領域により定着領域Ｑ５が構成されている。
プリンタ部Ｕ１の上面には、媒体の排出部の一例としての下段排紙トレイＴＲｈが形成されている。定着装置Ｆの上方には、搬送路の一例としての排紙路ＳＨ３が下段排紙トレイＴＲｈに向けて延びている。排紙路ＳＨ３の下流端には、媒体の搬送手段の一例としての排紙ロールＲｈが配置されている。
【００３４】
下段排紙トレイＴＲｈの上方には、媒体の排出部の一例としての上段排紙トレイＴＲｈ２が配置されている。定着装置Ｆの上方には、排紙路ＳＨ３から分岐して、上段排紙トレイＴＲｈ２に向けて延びる上方搬送路ＳＨ４が形成されている。
上方搬送路ＳＨ４には、媒体の搬送手段の一例としての正逆回転可能な反転ロールＲｂが配置されている。排紙路ＳＨ３と上方搬送路ＳＨ４との分岐位置よりも上方には、媒体の搬送路の一例としての反転路ＳＨ６が上方搬送路ＳＨ４から左下方に分岐している。
排紙路ＳＨ３と上方搬送路ＳＨ４との分岐部分と、上方搬送路ＳＨ４と反転路ＳＨ６との分岐部分とに渡る形で、切替手段の一例としてのゲートＧＴ１が配置されている。ゲートＧＴ１は、定着装置Ｆからの記録シートＳを下段排紙トレイＴＲｈに向けて案内すると共に、上方搬送路ＳＨ４から反転路ＳＨ６に記録シートＳを案内する第１の案内位置（第
２の位置）と、定着装置Ｆからの記録シートＳを上方搬送路ＳＨ４に案内する第２の案内位置（第１の位置）との間で切替可能に支持されている。
前記反転路ＳＨ６には、媒体の搬送手段の一例としての複数の搬送ロールＲａが配置されている。反転路ＳＨ６の下流端は、レジロールＲｒの上流側で給紙路ＳＨ１に合流している。
【００３５】
（画像形成動作の説明）
前記構成を備えた実施例１の複写機Ｕでは、原稿Ｇｉを作業者が手でプラテンガラスＰＧ上に置いて複写を行う場合には、読取ユニットＵ２ａが初期位置から左右方向に移動して、プラテンガラスＰＧ上の原稿Ｇｉが、露光されながら走査される。また、前記オートフィーダＵ３を使用して自動的に原稿Ｇｉを搬送して複写を行う場合には、読取ユニットＵ２ａは、初期位置から、図１の破線で示す原稿の読み取り位置に移動して停止する。そして、原稿トレイＴＧ１に収容された複数の原稿Ｇｉは、プラテンガラスＰＧ上の原稿の読み取り位置に順次搬送されて通過し、原稿の排紙トレイＴＧ２に排出される。したがって、プラテンガラスＰＧ上の読み取り位置を順次通過する各原稿Ｇｉは、停止した読取ユニットＵ２ａに露光されて走査される。なお、原稿Ｇｉからの反射光は、読取ユニットＵ２ａで受光される。前記読取ユニットＵ２ａは、受光された原稿Ｇｉの反射光を電気信号に変換する。なお、原稿Ｇｉの両面読取りが行われる場合には、読取りセンサＵ３ｄでも原稿Ｇｉが読み取られる。
【００３６】
画像処理部ＧＳは、読取ユニットＵ２ａから出力された電気信号が入力される。画像処理部ＧＳは、読取ユニットＵ２ａが読み取ったＲ，Ｇ，Ｂの色の画像の電気信号を、潜像形成用のイエローＹ、マゼンタＭ、シアンＣ、黒Ｋの画像情報に変換する。画像処理部ＧＳは、変換後の画像情報をプリンタ部Ｕ１の書込回路ＤＬに出力する。なお、画像処理部ＧＳは、画像が単色画像、いわゆる、モノクロの場合は、黒Ｋのみの画像情報を書込回路ＤＬに出力する。
書込回路ＤＬは、入力された画像情報に応じた制御信号を、露光装置ＬＨｙ〜ＬＨｋに出力する。露光装置ＬＨｙ〜ＬＨｋは、制御信号に応じた書込光を出力する。
【００３７】
各感光体ＰＲｙ〜ＰＲｋは、画像形成が開始されると回転駆動する。帯電ロールＣＲｙ〜ＣＲｋには、電源回路Ｅから帯電電圧が印加される。したがって、感光体ＰＲｙ〜ＰＲｋの表面は、帯電ロールＣＲｙ〜ＣＲｋにより帯電される。帯電された感光体ＰＲｙ〜ＰＲｋは、書込領域Ｑ１ｙ〜Ｑ１ｋにおいて、レーザービームＬｙ〜Ｌｋにより、表面に静電潜像が形成される。感光体ＰＲｙ〜ＰＲｋの静電潜像は、現像領域Ｑ２ｙ〜Ｑ２ｋにおいて、現像装置Ｇｙ，Ｇｍ，Ｇｃ，Ｇｋにより可視像の一例としてのトナー像に現像される。
【００３８】
現像されたトナー像は、中間転写体の一例としての中間転写ベルトＢに接触する１次転写領域Ｑ３ｙ，Ｑ３ｍ，Ｑ３ｃ，Ｑ３ｋに搬送される。１次転写領域Ｑ３ｙ，Ｑ３ｍ，Ｑ３ｃ，Ｑ３ｋにおいて、１次転写ロールＴ１ｙ〜Ｔ１ｋには、電源回路Ｅからトナーの帯電極性と逆極性の１次転写電圧が印加される。したがって、各感光体ＰＲｙ〜ＰＲｋ上のトナー像は、１次転写ロールＴ１ｙ〜Ｔ１ｋにより、中間転写ベルトＢに転写される。なお、多色のトナー像の場合、上流側の１次転写領域で中間転写ベルトＢに転写されたトナー像に重ねて、下流側のトナー像が転写される。
１次転写後の感光体ＰＲｙ〜ＰＲｋの残留物、付着物は、感光体クリーナＣＬｙ〜ＣＬｋにより清掃される。清掃された感光体ＰＲｙ〜ＰＲｋ表面は、帯電ロールＣＲｙ〜ＣＲｋにより再帯電される。
１次転写領域Ｑ３ｙ〜Ｑ３ｋで１次転写ロールＴ１ｙ〜Ｔ１ｋにより中間転写ベルトＢ上に転写された単色または多色のトナー像は、２次転写領域Ｑ４に搬送される。
【００３９】
画像が記録される記録シートＳは、使用される給紙トレイＴＲ１〜ＴＲ４のピックアップロールＲｐにより、取り出される。ピックアップロールＲｐで取り出された記録シートＳは、複数枚の記録シートＳが重ねて取り出された場合、捌きロールＲｓにより１枚ずつに分離される。捌きロールＲｓで分離された記録シートＳは、搬送ロールＲａにより給紙路ＳＨ１を搬送される。給紙路ＳＨ１を搬送された記録シートＳは、レジロールＲｒに送られる。手差しトレイＴＲ０に積載された記録シートＳも、ピックアップロールＲｐ０で手差し給紙路ＳＨ０を通じて給紙路ＳＨ１に送られる。
レジロールＲｒは、中間転写ベルトＢに形成されたトナー像が２次転写領域Ｑ４に搬送される時期を合わせて、記録シートＳを２次転写領域Ｑ４に搬送する。２次転写ロールＴ２ｂには、電源回路Ｅによりトナーの帯電極性と逆極性の２次転写電圧が印加される。したがって、中間転写ベルトＢ上のトナー像は、中間転写ベルトＢから記録シートＳに転写される。
【００４０】
２次転写後の前記中間転写ベルトＢは、表面に付着した付着物等がベルトクリーナＣＬｂにより清掃される。
前記トナー像が２次転写された記録シートＳは、定着領域Ｑ５を通過する際に加熱定着される。
画像が定着された記録シートＳが下段排紙トレイＴＲｈに排出される場合は、ゲートＧＴ１が第１の案内位置に移動する。したがって、定着装置Ｆから送り出された記録シートＳは、排紙路ＳＨ３を搬送される。排紙路ＳＨ３を搬送された記録シートＳは、排紙ロールＲｈにより下段排紙トレイＴＲｈに排出される。
【００４１】
記録シートＳが上段排紙トレイＴＲｈ２に排出される場合は、ゲートＧＴ１が第２の案内位置に移動して、上段排紙トレイＴＲｈ２に排出される。
記録シートＳが両面印刷される場合、ゲートＧＴ１が第２の案内位置に移動する。そして、記録シートＳの後端がゲートＧＴ１を通過すると、ゲートＧＴ１が第１の案内位置に移動すると共に、反転ロールＲｂが逆回転する。したがって、記録シートＳは、ゲートＧＴ１に案内されて、反転路ＳＨ６に送られる。
【００４２】
（ゲートの移動機構の説明）
図３は実施例１のゲートの駆動機構の説明図であり、第２の移動手段が第１の位置に移動した状態の説明図である。
図４は図３の状態における駆動機構の斜視図である。
図５は実施例１のゲートの駆動機構の説明図であり、第２の移動手段が第１の位置から第２の位置に移動する途中の状態の説明図である。
図６は図５の状態における駆動機構の斜視図である。
図７は実施例１のゲートの駆動機構の説明図であり、第２の移動手段が第２の位置に移動した状態の説明図である。
図８は実施例１のゲートの説明図であり、図８Ａは第１のゲート位置にゲートが移動した状態の説明図、図８Ｂは第２のゲート位置にゲートが移動した状態の説明図である。
【００４３】
図３〜図８において、実施例１のゲートＧＴ１は、記録シートＳの幅方向に沿って間隔をあけて複数配置された板状のゲート本体１を有する。ゲート本体１は、記録シートＳの幅方向に沿って延びる連結部２で連結されている。したがって、ゲート本体１はいわゆる櫛歯状に形成されている。連結部２の外端部には、軸部３が設けられている。
後側の軸部３ａは、フレームＵａの軸受け部４に、回転可能に支持されている。
【００４４】
後側（一端側）の軸部３ａの後部には、移動制限手段の一例としてのロック片６が形成されている。実施例１のロック片６は、軸部３の径方向に延びる板状に形成されている。
また、ゲートＧＴ１の後端部には、被位置決め手段の一例としての位置決めプレート７が形成されている。実施例１の位置決めプレート７は、下方に延びる板状に形成されている。
さらに、ゲートＧＴ１には、位置決めプレート７よりも後方の端部に、第１の付勢手段の一例としてのゲートバネ８の一端が連結されている。ゲートバネ８の他端は、フレームＵａのバネ支持部９に支持されている。実施例１のゲートバネ８は、ゲートＧＴ１を第１のゲート位置（第２の案内位置）に移動する方向の力を作用させる。
【００４５】
フレームＵａの後端部には、駆動源の一例としてのソレノイド１１が支持されている。ソレノイド１１は、伸縮部の一例としてのプランジャ１１ａを有する。プランジャ１１ａは、ソレノイド１１に対して出没（伸縮）可能であり、ソレノイド１１が作動状態（オンの状態）になると、ソレノイド１１内に引き込まれる。
【００４６】
プランジャ１１ａの先端には、第１の接続部材である第１リンク１２が回転可能に支持されている。
第１リンク１２の前端には、第２の移動手段の一例としての第２リンク１３の上端が回転可能に支持されている。
第２リンク１３は、フレームＵａに設けられた回転軸１３ａに回転可能に支持されている。したがって、第２リンク１３は、第１の位置の一例としての図３に示すロック位置と、第２の位置の一例としての図６に示すアンロック位置との間で移動可能に支持されている。
【００４７】
第２リンク１３の下端の左部には、制限手段の一例としてのロック部１３ｂが形成されている。ロック部１３ｂは、右方に突出した形状に形成されている。ロック部１３ｂの前部には、停止面の一例としての前後方向に沿うロック面１３ｂ１が形成されている。また、ロック部１３ｂの後部には、後方に行くにつれて左方に傾斜する傾斜面１３ｂ２が形成されている。
実施例１のロック部１３ｂは、図３、図４に示す第１のゲート位置では、ロック片６にロック面１３ｂ１が対向、近接して配置されるように、位置や大きさ、形状が形成されている。そして、図７に示す第２のゲート位置では、ロック片６に対して離間した位置、具体的に、前後方向にずれた位置に配置されるように、ロック部１３ｂの位置や形状が形成されている。
第２リンク１３は、回転軸１３ａの位置に対して後方に延びる連結部１３ｃが形成されている。
連結部１３ｃには、前後方向延びる長孔１３ｄが形成されている。
【００４８】
長孔１３ｄには、第１の移動手段の一例としての第３リンク１４の上端部１４ａが連結されている。第３リンク１４は、上端部１４ａで長孔１３ｄに沿って移動可能且つ回転可能に支持されている。したがって、第３リンク１４は、長孔１３ｄを介して第２リンク１３に連結されている。
図８において、第３リンク１４は上下方向に延びるゲート本体１４ｂを有する。ゲート本体１４ｂの下端には、接触部の一例として、右方に延びる押し下げ部１４ｃが形成されている。押し下げ部１４ｃの下面には、左方に行くにつれて上方に傾斜する傾斜部１４ｄが形成されている。
また、第３リンク１４の上端には、第２の付勢手段の一例としての復帰バネ１５の下端が連結されている。復帰バネ１５の上端は、フレームＵａの図示しないバネ支持部に支持されている。復帰バネ１５は、第３リンク１４を上方に付勢する力を付与する。
【００４９】
なお、図３、図８Ａに示すように、実施例１の第３リンク１４は、ゲートＧＴ１が第１のゲート位置に移動した状態では、ゲートＧＴ１に対して離間した状態となっている。また、図７、図８Ｂに示すように、第３リンク１４は、ソレノイド１１がオンになると、ゲートＧＴ１の被接触面１６に接触して、ゲートＧＴ１を押し下げる。したがって、ゲートＧＴ１は、第３リンク１４に押されて回転して、第２のゲート位置に移動する。
実施例１の被接触面１６は、上方に凸状に湾曲する曲面形状に形成されている。したがって、平面状の構成に比べて、第３リンク１４との接触時に滑りやすく、接触時の摩擦抵抗がゲートＧＴ１の回転抵抗になることが低減される。
【００５０】
図９は実施例１のゲートの位置決め機構の説明図であり、図９Ａは第１のゲート位置における位置決め手段の説明図、図９Ｂは図９Ａの状態でのゲートと定着装置の下流部の位置関係の説明図である。
図９において、実施例１の複写機Ｕでは、複写機Ｕの側面に、開閉手段の一例としての開閉カバーＵｂが支持されている。開閉カバーＵｂは、反転路ＳＨ６で紙詰まりが発生した場合に、反転路ＳＨ６を開放または閉塞するために設けられている。実施例１の開閉カバーＵｂには、位置決め手段の一例としての突き当て部２１が形成されている。突き当て部２１は、図９Ａに示す開閉カバーＵｂが閉じた状態では、位置決めプレート７が接触して、ゲートＧＴ１を第１のゲート位置に位置決めする。この時、図９Ｂに示すように、櫛歯状のゲート本体１と、定着装置Ｆの下流部の櫛歯状の案内部２２とが前後方向に互い違いに配置された状態となっている。すなわち、図９Ｂに示すように、前後方向（媒体幅方向）から見た場合にゲート本体１と案内部２２とが一部が重複するように配置される。
【００５１】
図１０は実施例１のゲートの位置決め機構の説明図であり、図１０Ａはカバーが開放された状態における位置決め手段の説明図、図１０Ｂは図１０Ａの状態でのゲートと定着装置の下流部の位置関係の説明図である。
図１０において、開閉カバーＵｂが開放状態になると、突き当て部２１は位置決めプレート７から離間する。したがって、ゲートＧＴ１は、ゲートバネ８の弾性力で回転して、図１０Ａに示す状態となる。この状態では、ゲート本体１と案内部２２とが離れた状態となる。したがって、ゲートＧＴ１の近傍で紙詰まりをしていた場合に、詰まった紙の目視での確認作業や、詰まった紙の除去作業が容易になる。
特に、実施例１では、第３リンク１４の下端に傾斜部１４ｄが形成されている。傾斜部１４ｄが設けられていない構成では、ゲートＧＴ１が図１０に示す状態に移動する前に、被接触面１６が第３リンク１４の下端に接触してしまい、ゲートＧＴ１の移動範囲が狭くなる。これに対して、実施例１では、傾斜部１４ｄが、ゲートＧＴ１との接触を避ける形状（接触しない形状）となっており、ゲートＧＴ１を大きく移動させることが可能である。したがって、紙詰まり時の確認作業や除去作業がさらに容易になる。
【００５２】
また、この状態では、突き当て部２１に位置決めプレート７が当たっておらず、ゲートＧＴ１が自由に移動可能な状態となっている。したがって、詰まった紙の除去作業時に、ゲートＧＴ１が位置決め、固定されている場合に比べて、移動可能なゲートＧＴ１に余計な負荷がかからず、ゲートＧＴ１の破損が低減される。
前記反転ローラＲｂやゲートＧＴ１、符号１〜２１を付した各部材により、実施例１の媒体搬送装置が構成されている。
【００５３】
（実施例１の作用）
前記構成を備えた実施例１の複写機Ｕでは、記録シートＳが下段排紙トレイＴＲｈに排出される場合には、ゲートＧＴ１が第１のゲート位置に移動する必要がある。この時、ソレノイド１１はオフの状態（非作動状態）に保持され、ゲートバネ８の力で、ゲートＧＴ１は第１のゲート位置に保持される。なお、第１のゲート位置には、位置決めプレート７と突き当て部２１との接触で位置決めされる。
この状態では、ロック片６にロック部１３ｂが対向した状態となっており、ゲートＧＴ１が第２のゲート位置に向けて回転移動しようとしても、ロック片６とロック部１３ｂが接触し、移動が妨げられる（制限される）。すなわち、ゲートＧＴ１の移動がロックされた状態となる。
【００５４】
次に、記録シートＳが上段排紙トレイＴＲｈ２に排出される場合や、両面印刷が行われる場合に、ゲートＧＴ１が第２のゲート位置に移動する必要がある。この場合、ソレノイド１１がオンの状態（作動状態）となる。ソレノイド１１がオンになると、第１リンク１２が後方に引っ張られる。第１リンク１２が後方に引っ張られると、第２リンク１３の下端が前方に回転すると共に連結部１３ｃが下方に回転する。第２リンク１３の下端の移動に伴って、ロック部１３ｂがロック片６から離間する。したがって、ゲートＧＴ１が第２のゲート位置に向けて移動が可能な状態、いわゆる、ロックが解除された状態となる。
そして、連結部１３ｃが下方に移動すると、第３リンク１４が下方に移動する。第３リンク１４が下方に移動すると、押し下げ部１４ｃが被接触面１６を下方に押す。したがって、ゲートＧＴ１が第２のゲート位置に移動する。
【００５５】
なお、実施例１では、第３リンク１４が第２リンク１３に長孔１３ｄで連結されており、第２リンク１３が移動を開始しても、第３リンク１４が移動を開始するまでに、時間的なずれ（タイムラグ）が発生する。また、第３リンク１４の下端も被接触面１６から離れており、第３リンク１４がゲートＧＴ１を押し始めるまでにもタイムラグがある。したがって、これらのタイムラグがあることで、ロック部１３ｂがロック片６に対して十分に離間した後に、ゲートＧＴ１が第２のゲート位置に向けて移動し始める。よって、ロック解除とゲートＧＴ１の移動開始が同時の場合に比べて、ゲートＧＴ１の移動不良や、ゲートＧＴ１の移動不良に伴う記録シートＳの案内不良が低減されている。
【００５６】
次に、両面印刷が行われる際に、記録シートＳが反転路ＳＨ６に向けて送られる場合、ゲートＧＴ１が第１のゲート位置に移動する必要がある。反転路ＳＨ６に記録シートＳが送られる場合、ソレノイド１１がオンの状態からオフの状態となる。よって、ゲートバネ８の力で、ゲートＧＴ１が第１のゲート位置に向けて回転する。また、ソレノイド１１からの力がなくなり、復帰バネ１５の力で第３リンク１４が上方に押し上げられる。これに伴って、第２リンク１３が逆回転し、第１リンク１２も前方に移動する。したがって、ロック片６にロック部１３ｂが対向した状態となり、ゲートＧＴ１が第１のゲート位置でロックされた状態に戻る。
なお、ゲートＧＴ１の第１のゲート位置への復帰が遅れても、ロック部１３ｂの傾斜面１３ｂ２がロック片６に接触することとなり、ロック片６が傾斜面１３ｂ２に押される形で、ゲートＧＴ１の第１のゲート位置への復帰の補助がされる。よって、ゲートＧＴ１は確実に第１のゲート位置に復帰可能である。
したがって、実施例１の媒体搬送装置では、ソレノイド１１の作動や作動停止に連動して、ゲートＧＴ１が第１のゲート位置と第２のゲート位置との間で移動する。
【００５７】
ここで、 従来の構成では、バネの力だけで、実施例１における第１のゲート位置にゲートを保持している。これは、一般的に両面印刷の頻度よりも片面印刷で下段排紙トレイに排出する頻度が高いため、バネを使用することで、電力を使用せずに頻度の高い第１のゲート位置にゲートを保持し、頻度の低い両面印刷等の時にモータやソレノイド等の駆動源を作動させて（電力を使用して）、第２のゲート位置にゲートを移動させることが合理的であるためである。
ここで、従来の構成でも、バネの力で保持されたゲートに対して記録シートが接触しながら案内される。このとき、記録シートが厚紙等の剛性の高い媒体、いわゆる腰の強い媒体である場合、記録シートがゲートを押す力が強い。特に、記録シートの搬送方向の前端が衝突する際の力が強い。
【００５８】
しかしながら、バネのみで第１のゲート位置に保持する従来の構成では、実施例１のように第１のゲート位置において反転路にも記録シートを案内する構成においては、記録シートからゲートが受ける力が強くなると、バネ力が不足して、ゲートが第２のゲート位置に向けて回転してしまう場合がある。ゲートが回転すると、記録シートが反転路ではなく定着装置側に逆走してしまい、案内不良が発生する場合がある。
案内不良を防止するために、反転路に記録シートを送る際に、モータを作動させ続けたり、ゲートバネを弾性力の強いバネとすると、ランニングコストや製造コストが上昇する問題がある。また、バネの弾性力が強いと、ソレノイドがオフになったときに、勢いよくゲートが回転して、ゲートが第１のゲート位置に復帰して停止する際に、突き当て部に衝突する音（異音、騒音）が大きくなる問題もある。
【００５９】
これらに対して、実施例１では、ゲートＧＴ１が第１のゲート位置に移動した状態では、ロック片６とロック部１３ｂとが近接した状態で保持されている。したがって、ゲートＧＴ１が記録シートＳに押されて第２のゲート位置に向けて移動しようとしても、ロック部１３ｂがロック片６に接触してゲートＧＴ１の回転が停止、制限される。よって、ゲートＧＴ１が第１のゲート位置からの移動が妨げられ、記録シートＳの案内不良が防止される。したがって、実施例１では、バネのみで第１のゲート位置に保持する従来の構成に比べて、ランニングコスト等の費用の上昇を抑制しつつ、記録シートＳの案内不良が抑制される。
【００６０】
特に、実施例１では、ゲートバネ８や復帰バネ１５は、ゲートＧＴ１を第１のゲート位置に戻したり、第３リンク１４を上方の位置に復帰させる程度の力を作用させるバネで十分であり、記録シートＳがゲートＧＴ１に衝突する際の衝撃に耐えるような強力なバネは必要ない。したがって、バネのみで第１のゲート位置に保持する従来技術に比べて、弾性力の弱い、安価なバネを使用することが可能である。よって、製造費用が削減され、異音も低減される。
なお、ゲートＧＴ１はゲートバネ８で第２のゲート位置から第１のゲート位置に復帰する。よって、実施例１では、復帰時に電力を使用せず、ランニングコストを削減可能である。特に、使用頻度の高い第１のゲート位置に、ソレノイド１１を作動させずに保持することが可能であり、ソレノイド１１を作動させた状態で保持する場合に比べて、ランニングコストが削減される。
【実施例２】
【００６１】
図１１は実施例２のゲートの駆動機構の説明図であり、第２の移動手段が第１の位置に移動した状態の説明図である。
図１２は実施例２のゲートの駆動機構の説明図であり、第２の移動手段が第１の位置から第２の位置に移動する途中の状態の説明図である。
図１３は実施例２のゲートの駆動機構の説明図であり、第２の移動手段が第２の位置に移動した状態の説明図である。
次に本発明の実施例２の説明をするが、この実施例２の説明において、前記実施例１の構成要素に対応する構成要素には同一の符号を付して、その詳細な説明は省略する。
この実施例２は下記の点で、前記実施例１と相違しているが、他の点では前記実施例１と同様に構成される。
【００６２】
図１１〜図１３において、実施例２の媒体搬送装置では、実施例１と異なり、ソレノイド１１のプランジャ１１ａが上下方向に伸縮可能に配置されている。実施例２では、プランジャ１１ａに、プランジャ１１ａを上方に付勢する第２の復帰部材の一例としての復帰バネ１５′が装着されている。
また、実施例２では、３つのリンク１２〜１４を有する実施例１と異なり、１つのリンク３１を有する。リンク３１は、水平方向に延びる上部３１ａを有する。上部３１ａの一端部はプランジャ１１ａに連結されている。上部３１ａの他端部から下方にリンク本体３１ｂが延びている。
【００６３】
リンク本体３１ｂの下端には、第１の移動手段の一例としての押し下げ部３１ｃが形成されている。実施例２の押し下げ部３１ｃは、下面が曲面状に形成されており、第１のゲート位置では被接触面１６に対して離間した状態で保持されている。
また、押し下げ部３１ｃの上方には、第２の移動手段の一例として、右方に突出するロック部３１ｄが形成されている。ロック部３１ｄは、右面が曲面状に形成されている。
なお、実施例２のロック片６′の下部には、実施例１の傾斜面１３ｂ２に相当する部位として、ロック部３１ｄの移動方向（上下方向）および形状に対応して、下方に行くにつれて右方に傾斜する傾斜面６ａ′が形成されている。
【００６４】
（実施例２の作用）
前記構成を備えた実施例２の媒体搬送装置では、ソレノイド１１がオフの状態では、図１１に示すように、ロック部３１ｄがロック片６′に対向、近接して配置されている。したがって、ゲートＧＴ１が第１のゲート位置に移動した状態で、ロック部３１ｄおよびロック片６′でロックされている。
ソレノイド１１がオンになると、図１２の状態でロック部３１ｄがロック片６′から離間してロックが解除されるとともに、押し下げ部３１ｃが被接触面１６を下方に押す。したがって、図１３に示すように、ゲートＧＴ１が第２のゲート位置に移動する。
したがって、実施例２の媒体搬送装置でも、実施例１と同様に、バネのみで第１のゲート位置に保持する従来の構成に比べて、ランニングコスト等の費用の上昇を抑制しつつ、記録シートＳの案内不良が抑制される。
【００６５】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ09）を下記に例示する。
（Ｈ01）前記実施例において、画像形成装置の一例としての複写機Ｕを例示したが、これに限定されず、ＦＡＸに適用したり、ＦＡＸや、プリンタ、複写機などの複数の機能を備えた複合機等に適用可能である。また、電子写真方式の画像形成装置に限定されず、インクジェット記録方式やサーマルヘッド方式などをはじめリソグラフ等の印刷機等任意の画像形成方式の画像形成装置に適用可能である。また、多色現像の画像形成装置に限定されず、単色、いわゆるモノクロの画像形成装置により構成することも可能である。
【００６６】
（Ｈ02）前記実施例において、排紙トレイＴＲｈ、ＴＲｈ２が上下２段の構成を例示したが、３段以上の構成に適用することも可能である。また、媒体搬送装置がプリンタ部Ｕ１の内部に設置された構成を例示したがこれに限定されない。ゲートを有する搬送経路が設けられた後処理装置等の構成にも適用可能である。
（Ｈ03）前記実施例において、駆動源の一例としてのソレノイド１１を使用し、リンク１２〜１４で駆動を伝達する構成を例示したが、これに限定されない。モータや歯車、ピニオン、ラック等を使用した構成とすることが可能である。
【００６７】
（Ｈ04）前記実施例において、第３リンク１４の下端や押し下げ部３１ｃと被接触面１６とは、第１のゲート位置において離間した状態とすることが好ましいが、これに限定されない。ゲートＧＴ１が動き出してロック片６，６′がロック部１３ｂ，３１ｄに接触するまでにロックが解除されるタイムラグが確保可能であれば、接触した状態としたり、長孔等を介してゲートＧＴ１と第３リンク１４等とを連結した構成とすることも可能である。
（Ｈ05）前記実施例において、第２のゲート位置に移動する際にソレノイド１１を作動させる構成とすることが望ましいが、第１のゲート位置に移動する際にソレノイドを移動させる構成とすることも可能である。
【００６８】
（Ｈ06）前記実施例において、開閉カバーＵｂに突き当て部２１を設ける構成が好ましいが、これに限定されない。例えば、フレームＵａに設ける構成とすることも可能である。
（Ｈ07）前記実施例において、被接触面１６を曲面形状とすることが望ましいが、平面形状とすることも可能である。
（Ｈ08）前記実施例において、ゲートバネ８でゲートＧＴ１を第１のゲート位置に復帰させる構成を例示したがこれに限定されない。例えば、ゲートＧＴ１の重心位置と軸部３との関係で、自重で第１のゲート位置に復帰させるように構成し、ゲートバネ８を設けない構成とすることも可能である。
【００６９】
（Ｈ09）前記実施例において、傾斜面１３ｂ２，６ａ′を設ける構成が望ましいが、設けない構成とすることも可能である。
【符号の説明】
【００７０】
６、６′…移動制限手段の一例、
８…第１の付勢手段の一例、
１１…駆動源の一例、
１３，３１ｄ…第２の移動手段の一例、
１３ｂ２…傾斜面の一例、
１３ｄ…長孔の一例、
１４，３１ｃ…第１の移動手段の一例、
１５，１５′…第２の付勢手段の一例、
１６…第２の移動手段との接触部分の一例、
２１…位置決め手段の一例、
ＧＴ１…媒体の案内手段の一例、
Ｒａ，Ｒｂ…搬送手段の一例、
Ｓ…媒体の一例、
ＳＨ６…媒体の搬送路の一例、
ＴＲｈ…積載手段の一例、
Ｕ…画像形成装置の一例、
Ｕｂ…開閉部の一例、
Ｕｙ〜Ｕｋ＋Ｔ１＋Ｔ２＋Ｂ…画像の形成手段の一例。
【図１】
2020050500.tif 000003
【図２】
2020050500.tif 000004
【図３】
2020050500.tif 000005
【図４】
2020050500.tif 000006
【図５】
2020050500.tif 000007
【図６】
2020050500.tif 000008
【図７】
2020050500.tif 000009
【図８】
2020050500.tif 000010
【図９】
2020050500.tif 000011
【図１０】
2020050500.tif 000012
【図１１】
2020050500.tif 000013
【図１２】
2020050500.tif 000014
【図１３】
2020050500.tif 000015